(57)【特許請求の範囲】
【請求項１】
屋内と屋外との間の壁に設けられる貫通穴内に設置される壁貫通型燃焼器具であって、バーナーと、熱交換器と、排気室と、制御装置を含む機器を収容するケーシングと、ケーシングの屋内側の開口部を着脱自在に覆うフロントカバーと、フロントカバーの下部に形成される膨出部と、前記ケーシングの内側から膨出部の内側に向いて延在され前記フロントカバー下部側の膨出部の内側に配設される直立部を含むガス接続管と、前記ケーシングの内側から膨出部の内側に向いて延在され前記フロントカバー下部側の膨出部の内側に配設される直立部を含む給水接続管と、前記ケーシングの内側から膨出部の内側に向いて延在され前記フロントカバー下部側の膨出部の内側に配設される直立部を含む給湯接続管を有し、給水接続管の直立部に取付けられる給水量センサを備えたことを特徴とする壁貫通型燃焼器具。
【請求項２】
屋内と屋外との間の壁に設けられる貫通穴内に設置される壁貫通型燃焼器具であって、バーナーと、熱交換器と、排気室と、制御装置を含む機器を収容するケーシングと、ケーシングの屋内側の開口部を着脱自在に覆うフロントカバーと、フロントカバーの下部に形成される膨出部と、前記ケーシングの内側から膨出部の内側に向いて延在され前記フロントカバーの下部側の膨出部の内側に配設される直立部を含むガス接続管と、前記ケーシングの内側から膨出部の内側に向いて延在され前記フロントカバーの下部側の膨出部の内側に配設される直立部を含む給水接続管と、前記ケーシングの内側から膨出部の内側に向いて延在され前記フロントカバーの下部側の膨出部の内側に配設される直立部を含む給湯接続管と、前記ケーシングの内側から膨出部の内側に向いて延在され前記フロントカバーの下部側の膨出部の内側に配設される直立部を含む浴槽接続管を有し、給水接続管の直立部に取付けられる給水量センサと、給湯接続管の直立部に取付けられる給湯量センサと、浴槽接続管の直立部に取付けられる電磁弁を備えたことを特徴とする壁貫通型燃焼器具。
【請求項３】
屋内と屋外との間の壁に設けられる貫通穴内に設置される壁貫通型燃焼器具であって、バーナーと、熱交換器と、排気室と、制御装置を含む機器を収容するケーシングと、ケーシングの屋内側の開口部を着脱自在に覆うフロントカバーと、フロントカバーの下部に形成される膨出部と、前記ケーシングの内側から膨出部の内側に向いて延在され前記フロントカバーの下部側の膨出部の内側に配設される直立部を含むガス接続管と、前記ケーシングの内側から膨出部の内側に向いて延在され前記フロントカバーの下部側の膨出部の内側に配設される直立部を含む給水接続管と、前記ケーシングの内側から膨出部の内側に向いて延在され前記フロントカバーの下部側の膨出部の内側に配設される直立部を含む給湯接続管と、前記ケーシングの内側から膨出部の内側に向いて延在され前記フロントカバーの膨出部の下部側の内側に配設される直立部を含む追焚往き接続管と、前記ケーシングの内側から膨出部の内側に向いて延在され前記フロントカバーの下部側の膨出部の内側に配設される直立部を含む追焚戻り接続管を有し、給水接続管の直立部に取付けられる給水量センサと、給湯接続管の直立部に取付けられる給湯量センサと、追焚往き接続管の直立部に取付けられる電磁弁を備えたことを特徴とする壁貫通型燃焼器具。
【発明の詳細な説明】
【０００１】
【発明の属する技術分野】
本発明は、屋内と屋外との間の壁に設けた貫通穴内に設置する壁貫通型燃焼器具に関する。
【０００２】
【従来の技術】
壁貫通型燃焼器具は、主に集合住宅等、浴室面積を広くとれないといった制約のある場所において、少しでも大きな浴槽を設置できるように開発されたものであり、浴室内に設置されていた燃焼器具を壁内部に設置することによって、浴槽設置スペースを確保するようにしたものである。
【０００３】
図１１は、特開平１０−２１３３５３号公報に開示された、本出願人による壁貫通型燃焼器具の設置状態を示す説明図である。
浴室１内には浴槽２が設置され、壁貫通型燃焼器具１０は、浴室１の壁３に設けられた貫通穴４内に設置される。
壁貫通型燃焼器具１０は、ケーシング１２内に熱交換器等の必要な装置が収容され、ケーシング１２の浴室１側に露出するフロントカバー１４の下部には給水管，給湯管，ガスの供給管等が接続される各種のニップル１６が配設される。
また、この壁貫通型燃焼器具１０は浴室１の壁３のほかに、台所，脱衣所等の壁にも設置可能である。
【０００４】
【発明が解決しようとする課題】
本発明は、この種の壁貫通型燃焼器具にあって、装置の構造を改良することによって、全長寸法Ｌ１を短縮し、よりコンパクトな壁貫通型燃焼器具を提供するものである。
【０００５】
【課題を解決するための手段】
本発明の壁貫通型燃焼器具は、バーナーと、熱交換器と、排気室と、制御装置を含む機器を収容するケーシングと、ケーシングの屋内側の開口部を着脱自在に覆うフロントカバーと、フロントカバーの下部に形成される膨出部と、前記ケーシングの内側から膨出部の内側に向いて延在され前記フロントカバーの下部側の膨出部の内側に配設される直立部を含むガス接続管と、前記ケーシングの内側から膨出部の内側に向いて延在され前記フロントカバーの下部側の膨出部の内側に配設される直立部を含む給水接続管と、前記ケーシングの内側から膨出部の内側に向いて延在され前記フロントカバーの下部側の膨出部の内側に配設される直立部を含む給湯接続管を有し、給水接続管の直立部に取付けられる給水量センサを備えたことを特徴とする構成を有するものである。
【０００６】
また、本発明の壁貫通型燃焼器具は、バーナーと、熱交換器と、排気室と、制御装置を含む機器を収容するケーシングと、ケーシングの屋内側の開口部を着脱自在に覆うフロントカバーと、フロントカバーの下部に形成される膨出部と、前記ケーシングの内側から膨出部の内側に向いて延在され前記フロントカバーの下部側の膨出部の内側に配設される直立部を含むガス接続管と、前記ケーシングの内側から膨出部の内側に向いて延在され前記フロントカバーの下部側の膨出部の内側に配設される直立部を含む給水接続管と、前記ケーシングの内側から膨出部の内側に向いて延在され前記フロントカバーの下部側の膨出部の内側に配設される直立部を含む給湯接続管と、前記ケーシングの内側から膨出部の内側に向いて延在され前記フロントカバーの下部側の膨出部の内側に配設される直立部を含む浴槽接続管を有し、給水接続管の直立部に取付けられる給水量センサと、給湯接続管の直立部に取付けられる給湯量センサと、浴槽接続管の直立部に取付けられる電磁弁を備えたことを特徴とする構成を有するものである。
【０００７】
さらに、本発明の壁貫通型燃焼器具は、バーナーと、熱交換器と、排気室と、制御装置を含む機器を収容するケーシングと、ケーシングの屋内側の開口部を着脱自在に覆うフロントカバーと、フロントカバーの下部に形成される膨出部と、前記ケーシングの内側から膨出部の内側に向いて延在され前記フロントカバーの下部側の膨出部の内側に配設される直立部を含むガス接続管と、前記ケーシングの内側から膨出部の内側に向いて延在され前記フロントカバーの下部側の膨出部の内側に配設される直立部を含む給水接続管と、前記ケーシングの内側から膨出部の内側に向いて延在され前記フロントカバーの下部側の膨出部の内側に配設される直立部を含む給湯接続管と、前記ケーシングの内側から膨出部の内側に向いて延在され前記フロントカバーの下部側の膨出部の内側に配設される直立部を含む追焚往き接続管と、前記ケーシングの内側から膨出部の内側に向いて延在され前記フロントカバーの下部側の膨出部の内側に配設される直立部を含む追焚戻り接続管を有し、給水接続管の直立部に取付けられる給水量センサと、給湯接続管の直立部に取付けられる給湯量センサと、追焚往き接続管の直立部に取付けられる電磁弁を備えたことを特徴とする構成を有するものである。
【０００８】
【発明の実施の形態】
以下、本発明の実施の形態を図面に基づいて詳細に説明する。
図１は本発明の第１の実施形態における壁貫通型燃焼器具を示す縦断面図、図２は正面図である。
壁貫通型燃焼器具１００は、図１及び図２に示すように、箱形のケーシング１１０を有し、ケーシング１１０の内部には熱交換器１２０が配設され、熱交換器１２０の下部にはガスバーナー１３０が取付けられている。
熱交換器１２０の外周には、図１に示すように、過熱を防止する温度ヒューズ１２２が巻き付けられている。
また、熱交換器１２０の側部には、図１に示すように、バイメタルスイッチ１２４が設けられている。
【０００９】
ケーシング１１０内の熱交換器１２０の側部には、図１に示すように、制御装置１５０が配設され、制御装置１５０は外気温サーミスタ１３２を含む各種のセンサからのデータを基にガス比例弁電磁弁ユニット１３４や電動ファン１５２及び各種の水制御弁に指令を出力し、壁貫通型燃焼器具１００全体の制御を行う。
【００１０】
ケーシング１１０の内部には、図２に示すように、トランス１５４が配設され、トランス１５４は家庭用の交流電圧を変換して各種の制御弁等に電力を供給するようになっている。
ケーシング１１０の内部には、図１に示すように、熱交換器１２０に対向して電動ファン１５２が配設され、電動ファン１５２はケーシング１１０内の空気を強制的に排気する。
さらに、電動ファン１５２は燃焼で発生した高温の燃焼ガスを熱交換器１２０で熱交換した後、排ガスとして排気トップ３４０から排出するものである。
【００１１】
ケーシング１１０内の熱交換器１２０の上部には、図１に示すように、排気室３００が設けられている。
排気室３００は、図１に示すように、本体３１０と、排気ガイド３２０と、排気トップ３４０とを有する。
【００１２】
また、熱交換器１２０には、図１に示すように、寒冷時の水管の凍結を予防するためのヒータ１２６が付設されている。
【００１３】
壁貫通型燃焼器具１００のケーシング１１０の浴室側に対向する前面には、図１に示すように、フロントカバー２００が設けられ、ケーシング１１０の浴室側に対向する前面はフロントカバー２００で覆われており、フロントカバー２００はビス２０２によりケーシング１１０側に固定されている。
【００１４】
フロントカバー２００の下部には、図１に示すように、テーパー部２０４を介して膨出部２１０が形成されている。
フロントカバー２００の膨出部２１０の内側には、図２に示すように、浴室内の配管に接続されるガス接続管１６０，給水接続管１７０及び給湯接続管１８０が鉛直方向に向けてそれぞれ配設されている。
ガス接続管１６０に供給されるガスはガス比例弁電磁弁ユニット１３４により流量を制御され、ガスはガス接続管１６０を通ってガスバーナー１３０へ供給される。
【００１５】
給水接続管１７０に供給される水道水はフロントカバー２００の膨出部２１０の内側に配設された配管の直立部に設けられた給水量センサ１７２により供給量が検出され、また、給水の温度が給水サーミスタ１７４により検出され、そのデータは制御装置１５０側へ送られる。
【００１６】
熱交換器１２０で加熱された湯水は配管１４２を介して給湯接続管１８０に供給される。
給湯接続管１８０には浴室内に設けられたカランやシャワーノズルへの配管（図示せず）が接続されている。
【００１７】
この壁貫通型燃焼器具１００は、上述したように、フロントカバー２００の浴室側へ突出する膨出部２１０の内側に配設された給水接続管１７０の直立部に給水量を検出する給水量センサ１７２を設けた構造を有する。
【００１８】
図３は本発明の第２の実施形態における壁貫通型燃焼器具を示す縦断面図、図４は正面図である。
壁貫通型燃焼器具１００は、図３及び図４に示すように、箱形のケーシング１１０を有し、ケーシング１１０の内部には熱交換器１２０が配設され、熱交換器１２０の下部にはガスバーナー１３０が取付けられている。
熱交換器１２０の外周には、図３に示すように、過熱を防止する温度ヒューズ１２２が巻き付けられている。
また、熱交換器１２０の側部には、図３に示すように、バイメタルスイッチ１２４が設けられている。
【００１９】
ケーシング１１０内の熱交換器１２０の側部には、図３に示すように、制御装置１５０が配設され、制御装置１５０は外気温サーミスタ１３２を含む各種のセンサからのデータを基にガス比例弁電磁弁ユニット１３４や電動ファン１５２及び各種の水制御弁に指令を出力し、壁貫通型燃焼器具１００全体の制御を行う。
【００２０】
ケーシング１１０の内部には、図４に示すように、トランス１５４が配設され、トランス１５４は家庭用の交流電圧を変換して各種の制御弁等に電力を供給するようになっている。
ケーシング１１０の内部には、図３に示すように、熱交換器１２０に対向して電動ファン１５２が配設され、電動ファン１５２はケーシング１１０内の空気を強制的に排気する。
さらに、電動ファン１５２は燃焼で発生した高温の燃焼ガスを熱交換器１２０で熱交換した後、排ガスとして排気トップ３４０から排出するものである。
【００２１】
ケーシング１１０内の熱交換器１２０の上部には、図３に示すように、排気室３００が設けられている。
排気室３００は、図３に示すように、本体３１０と、排気ガイド３２０と、排気トップ３４０とを有する。
【００２２】
また、熱交換器１２０には、図３に示すように、寒冷時の水管の凍結を予防するためのヒータ１２６が付設されている。
【００２３】
壁貫通型燃焼器具１００のケーシング１１０の浴室側に対向する前面には、図３に示すように、フロントカバー２００が設けられ、ケーシング１１０の浴室側に対向する前面はフロントカバー２００で覆われており、フロントカバー２００はビス２０２によりケーシング１１０側に固定されている。
【００２４】
フロントカバー２００の下部には、図３に示すように、テーパー部２０４を介して膨出部２１０が形成されている。
フロントカバー２００の膨出部２１０の内側には、図４に示すように、浴室内の配管に接続されるガス接続管１６０，給水接続管１７０，給湯接続管１８０及び浴槽接続管１９０が鉛直方向に向けてそれぞれ配設されている。
ガス接続管１６０に供給されるガスはガス比例弁電磁弁ユニット１３４により流量を制御され、ガスはガス接続管１６０を通ってガスバーナー１３０へ供給される。
【００２５】
給水接続管１７０に供給される水道水はフロントカバー２００の膨出部２１０の内側に配設された配管の直立部に設けられた給水量センサ１７２により供給量が検出され、また、給水の温度が給水サーミスタ１７４により検出され、そのデータは制御装置１５０側へ送られる。
【００２６】
熱交換器１２０で加熱された湯水は配管１４２を介して給湯接続管１８０と浴槽接続管１９０に供給される。
浴槽接続管１９０は、図４に示すように、給湯接続管１８０から分岐される構造を有し、浴槽接続管１９０の途中には湯張りを制御する電磁弁１９２が設けられている。
この電磁弁１９２はフロントカバー２００の膨出部２１０の内側に配設された浴槽接続管１９０の配管の直立部に設けられている。
【００２７】
給湯接続管１８０には浴室内に設けられたカランやシャワーノズルへの配管（図示せず）が接続されている。
フロントカバー２００の膨出部２１０の内側に配設された給湯接続管１８０の配管の直立部には、図４に示すように、割込給湯量センサ１８２が設けられている。
浴槽への湯張り中に、カランやシャワーノズルが開かれて、給湯接続管１８０側へ湯水が流れると、電磁弁１９２が浴槽接続管１９０への湯張りを遮断し、給湯接続管１８０へ給湯を行う。
【００２８】
割込給湯量センサ１８２は、カランやシャワーノズルへの通水量を検出し、浴槽への湯張りが再開された時に、給湯接続管１８０側へ流れた湯量を補充し、浴槽へ所定の湯量を供給するためのデータを制御装置１５０へ提供する。
【００２９】
この壁貫通型燃焼器具１００は、上述したように、フロントカバー２００の浴室側へ突出する膨出部２１０の内側に配設された給水接続管１７０の直立部に給水量を検出する給水量センサ１７２を設けた構造を有する。同様に、フロントカバー２００の膨出部２１０の内側に配設された浴室のカランやシャワーノズルに接続される給湯接続管１８０の直立部に割込給湯量センサ１８２を設けてある。
【００３０】
さらに、浴槽接続管１９０に取付けられる電磁弁１９２をフロントカバー２００の膨出部２１０の内側の配管の直立部に配設してある。
【００３１】
図５は本発明の第３の実施形態における壁貫通型燃焼器具を示す縦断面図、図６は正面図である。
壁貫通型燃焼器具１００は、図５及び図６に示すように、箱形のケーシング１１０を有し、ケーシング１１０の内部には熱交換器１２０が配設され、熱交換器１２０の下部にはガスバーナー１３０が取付けられている。
熱交換器１２０の外周には過熱を防止する温度ヒューズ（図示せず）が巻き付けられている。
また、熱交換器１２０の側部にはバイメタルスイッチ（図示せず）が設けられている。
【００３２】
ケーシング１１０内の熱交換器１２０の側部には、図５に示すように、制御装置１５０が配設され、制御装置１５０は外気温サーミスタ（図示せず）を含む各種のセンサからのデータを基にガス比例弁電磁弁ユニット１３４や電動ファン１５２及び各種の水制御弁に指令を出力し、壁貫通型燃焼器具１００全体の制御を行う。
【００３３】
ケーシング１１０の内部には、図６に示すように、トランス１５４が配設され、トランス１５４は家庭用の交流電圧を変換して各種の制御弁等に電力を供給するようになっている。
ケーシング１１０の内部には、図５に示すように、熱交換器１２０に対向して電動ファン１５２が配設され、電動ファン１５２はケーシング１１０内の空気を強制的に排気する。
さらに、電動ファン１５２は燃焼で発生した高温の燃焼ガスを熱交換器１２０で熱交換した後、排ガスとして排気トップ３４０から排出するものである。
【００３４】
ケーシング１１０内の熱交換器１２０の上部には、図５に示すように、排気室３００が設けられている。
排気室３００は、図５に示すように、本体３１０と、排気ガイド（図示せず）と、排気トップ３４０とを有する。
【００３５】
また、熱交換器１２０には寒冷時の水管の凍結を予防するためのヒータ（図示せず）が付設されている。
【００３６】
ケーシング１１０内のトランス１５４の下部には、図６に示すように、浴槽の湯水を循環させるための循環ポンプＰが配設されている。
【００３７】
壁貫通型燃焼器具１００のケーシング１１０の浴室側に対向する前面には、図５に示すように、フロントカバー２００が設けられ、ケーシング１１０の浴室側に対向する前面はフロントカバー２００で覆われており、フロントカバー２００はビス（図示せず）によりケーシング１１０側に固定されている。
【００３８】
フロントカバー２００の下部には、図５に示すように、テーパー部２０４を介して膨出部２１０が形成されている。
フロントカバー２００の膨出部２１０の内側には、図６に示すように、浴室内の配管に接続されるガス接続管１６０，給水接続管１７０，給湯接続管１８０，追焚往き接続管４００及び追焚戻り接続管４１０が鉛直方向に向けてそれぞれ配設されている。
ガス接続管１６０に供給されるガスはガス比例弁電磁弁ユニット１３４により流量を制御され、ガスはガス接続管１６０を通ってガスバーナー１３０へ供給される。
【００３９】
給水接続管１７０に供給される水道水はフロントカバー２００の膨出部２１０の内側に配設された配管の直立部に設けられた給水量センサ１７２により供給量が検出され、また、給水の温度が給水サーミスタ（図示せず）により検出され、そのデータは制御装置１５０側へ送られる。
【００４０】
熱交換器１２０で加熱された湯水は配管１４２を介して給湯接続管１８０と追焚往き接続管４００に供給される。
給湯接続管１８０は、図６に示すように、給湯接続管１８０から分岐される構造を有し、途中には湯張りを制御する電磁弁４０２が設けられている。
この電磁弁４０２はフロントカバー２００の膨出部２１０の内側に配設された追焚往き接続管４００の配管の直立部に設けられている。
【００４１】
給湯接続管１８０には浴室内に設けられたカランやシャワーノズルへの配管（図示せず）が接続されている。
給湯接続管１８０の配管には、図６に示すように、給湯及び湯張り量を制御する水制御弁４０５が設けられ、給湯接続管１８０を流れる湯水は水制御弁４０５により給湯量を制御される。
【００４２】
フロントカバー２００の膨出部２１０の内側に配設された給湯接続管１８０の配管の直立部には、図６に示すように、割込給湯量センサ１８２が設けられている。
浴槽への湯張り中に、カランやシャワーノズルが開かれて、給湯接続管１８０側へ湯水が流れると、電磁弁４０２が追焚往き接続管４００への給湯を遮断し、給湯接続管１８０へ給湯を行う。
【００４３】
割込給湯量センサ１８２は、この給湯量を検出し、浴槽への湯張りが再開された時に、給湯接続管１８０側へ流れた湯量を補充し、浴槽へ所定の湯量を供給するためのデータを制御装置１５０へ提供する。
【００４４】
循環ポンプＰは浴槽の湯水を追焚戻り接続管４１０を介して熱交換器１２０へ送り、追焚戻り接続管４１０から送られた浴槽の湯水が熱交換器１２０で加熱して追焚きされた後、追焚きされた湯水が追焚往き接続管４００を介して再び浴槽に戻され、浴槽の湯水は追焚往き接続管４００及び追焚戻り接続管４１０を介して循環ポンプＰにより循環される。
【００４５】
この壁貫通型燃焼器具１００は、上述したように、フロントカバー２００の浴室側へ突出する膨出部２１０の内側に配設された給水接続管１７０の直立部に給水量を検出する給水量センサ１７２を設けた構造を有する。同様に、フロントカバー２００の膨出部２１０の内側に配設された浴室のカランやシャワーノズルに接続される給湯接続管１８０の直立部に割込給湯量センサ１８２を設けてある。
【００４６】
さらに、追焚往き接続管４００に取付けられる電磁弁４０２をフロントカバー２００の膨出部２１０の内側の配管の直立部に配設してある。
【００４７】
図７は本発明の第４の実施形態における壁貫通型燃焼器具を示す縦断面図、図８は正面図である。
図８はケーシング１１０の内部に配設した電動ファン１５２，トランス１５４，給水量センサ１７２，割込給湯量センサ１８２，電磁弁４０２，水制御弁４０５及び循環ポンプＰの配置を図６に示す第３の実施形態と左右反対となるように変え、フロントカバー２００の膨出部２１０の内側に配設したガス接続管１６０，給水接続管１７０，給湯接続管１８０，追焚往き接続管４００及び追焚戻り接続管４１０の配置を図６に示す第３の実施形態と異なるように変えたものである。
【００４８】
壁貫通型燃焼器具１００は、図７及び図８に示すように、箱形のケーシング１１０を有し、ケーシング１１０の内部には熱交換器１２０が配設され、熱交換器１２０の下部にはガスバーナー１３０が取付けられている。
熱交換器１２０の外周には過熱を防止する温度ヒューズ（図示せず）が巻き付けられている。
また、熱交換器１２０の側部にはバイメタルスイッチ（図示せず）が設けられている。
【００４９】
ケーシング１１０内の熱交換器１２０の側部には、図７に示すように、制御装置１５０が配設され、制御装置１５０は外気温サーミスタ（図示せず）を含む各種のセンサからのデータを基にガス比例弁電磁弁ユニット１３４や電動ファン１５２及び各種の水制御弁に指令を出力し、壁貫通型燃焼器具１００全体の制御を行う。
【００５０】
ケーシング１１０の内部には、図８に示すように、トランス１５４が配設され、トランス１５４は家庭用の交流電圧を変換して各種の制御弁等に電力を供給するようになっている。
ケーシング１１０の内部には、図７に示すように、熱交換器１２０に対向して電動ファン１５２が配設され、電動ファン１５２はケーシング１１０内の空気を強制的に排気する。
さらに、電動ファン１５２は燃焼で発生した高温の燃焼ガスを熱交換器１２０で熱交換した後、排ガスとして排気トップ３４０から排出するものである。
【００５１】
ケーシング１１０内の熱交換器１２０の上部には、図７に示すように、排気室３００が設けられている。
排気室３００は、図７に示すように、本体３１０と、排気ガイド（図示せず）と、排気トップ３４０とを有する。
【００５２】
また、熱交換器１２０には寒冷時の水管の凍結を予防するためのヒータ（図示せず）が付設されている。
【００５３】
ケーシング１１０内のトランス１５４の下部には、図８に示すように、浴槽の湯水を循環させるための循環ポンプＰが配設されている。
【００５４】
壁貫通型燃焼器具１００のケーシング１１０の浴室側に対向する前面には、図７に示すように、フロントカバー２００が設けられ、ケーシング１１０の浴室側に対向する前面はフロントカバー２００で覆われており、フロントカバー２００はビス（図示せず）によりケーシング１１０側に固定されている。
【００５５】
フロントカバー２００の下部には、図７に示すように、テーパー部２０４を介して膨出部２１０が形成されている。
フロントカバー２００の膨出部２１０の内側には、図８に示すように、浴室内の配管に接続されるガス接続管１６０，給水接続管１７０，給湯接続管１８０，追焚往き接続管４００及び追焚戻り接続管４１０が鉛直方向に向けてそれぞれ配設されている。
ガス接続管１６０に供給されるガスはガス比例弁電磁弁ユニット１３４により流量を制御され、ガスはガス接続管１６０を通ってガスバーナー１３０へ供給される。
【００５６】
給水接続管１７０に供給される水道水はフロントカバー２００の膨出部２１０の内側に配設された配管の直立部に設けられた給水量センサ１７２により供給量が検出され、また、給水の温度が給水サーミスタ（図示せず）により検出され、そのデータは制御装置１５０側へ送られる。
【００５７】
熱交換器１２０で加熱された湯水は配管１４２を介して給湯接続管１８０と追焚往き接続管４００に供給される。
給湯接続管１８０は、図８に示すように、給湯接続管１８０から分岐される構造を有し、給湯接続管１８０の途中には湯張りを制御する電磁弁４０２が設けられている。
この電磁弁４０２はフロントカバー２００の膨出部２１０の内側に配設された追焚往き接続管４００の配管の直立部に設けられている。
【００５８】
給湯接続管１８０には浴室内に設けられたカランやシャワーノズルへの配管（図示せず）が接続されている。
給湯接続管１８０の配管には、図８に示すように、給湯を制御する水制御弁４０５が設けられ、給湯接続管１８０を流れる湯水は水制御弁４０５により給湯量を制御される。
【００５９】
フロントカバー２００の膨出部２１０の内側に配設された給湯接続管１８０の配管の直立部には、図８に示すように、割込給湯量センサ１８２が設けられている。
浴槽への給湯中に、カランやシャワーノズルが開かれて、給湯接続管１８０側へ湯水が流れると、電磁弁４０２が追焚往き接続管４００への給湯を遮断し、給湯接続管１８０へ給湯を行う。
【００６０】
割込給湯量センサ１８２は、この給湯量を検出し、浴槽への湯張りが再開された時に、給湯接続管１８０側へ流れた湯量を補充し、浴槽へ所定の湯量を供給するためのデータを制御装置１５０へ提供する。
【００６１】
循環ポンプＰは浴槽の湯水を追焚戻り接続管４１０を介して熱交換器１２０へ送り、追焚戻り接続管４１０から送られた浴槽の湯水が熱交換器１２０で加熱して追焚きされた後、追焚きされた湯水が追焚往き接続管４００を介して再び浴槽に戻され、浴槽の湯水は追焚往き接続管４００及び追焚戻り接続管４１０を介して循環ポンプＰにより循環される。
【００６２】
この壁貫通型燃焼器具１００は、上述したように、フロントカバー２００の浴室側へ突出する膨出部２１０の内側に配設された給水接続管１７０の直立部に給水量を検出する給水量センサ１７２を設けた構造を有する。同様に、フロントカバー２００の膨出部２１０の内側に配設された浴室のカランやシャワーノズルに接続される給湯接続管１８０の直立部に割込給湯量センサ１８２を設けてある。
【００６３】
さらに、追焚往き接続管４００に取付けられる電磁弁４０２をフロントカバー２００の膨出部２１０の内側の配管の直立部に配設してある。
【００６４】
図９は本発明の第５の実施形態における壁貫通型燃焼器具を示す縦断面図、図１０は正面図である。
図９及び図１０は壁貫通型燃焼器具１００となる給湯器を示すものである。
壁貫通型燃焼器具１００は、図９及び図１０に示すように、箱形のケーシング１１０を有し、ケーシング１１０の内部には熱交換器１２０が配設され、熱交換器１２０の下部にはガスバーナー１３０が取付けられている。
熱交換器１２０の外周には、図９に示すように、過熱を防止する温度ヒューズ１２２が巻き付けられている。
また、熱交換器１２０の側部には、図９に示すように、バイメタルスイッチ１２４が設けられている。
【００６５】
ケーシング１１０内の熱交換器１２０の側部には、図９に示すように、制御装置１５０が配設され、制御装置１５０は外気温サーミスタ１３２を含む各種のセンサからのデータを基にガス比例弁電磁弁ユニット１３４や電動ファン１５２及び各種の水制御弁に指令を出力し、壁貫通型燃焼器具１００全体の制御を行う。
【００６６】
ケーシング１１０の内部には、図１０に示すように、トランス１５４が配設され、トランス１５４は家庭用の交流電圧を変換して各種の制御弁等に電力を供給するようになっている。
ケーシング１１０の内部には、図９に示すように、熱交換器１２０に対向して電動ファン１５２が配設され、電動ファン１５２はケーシング１１０内の空気を強制的に排気する。
さらに、電動ファン１５２は燃焼で発生した高温の燃焼ガスを熱交換器１２０で熱交換した後、排ガスとして排気トップ３４０から排出するものである。
【００６７】
ケーシング１１０内の熱交換器１２０の上部には、図９に示すように、排気室３００が設けられている。
排気室３００は、図９に示すように、本体３１０と、排気ガイド３２０と、排気トップ３４０とを有する。
【００６８】
また、熱交換器１２０には、図９に示すように、寒冷時の水管の凍結を予防するためのヒータ１２６が付設されている。
【００６９】
壁貫通型燃焼器具１００のケーシング１１０の室内側に対向する前面には、図９に示すように、フロントカバー２５０が設けられ、ケーシング１１０の室内側に対向する前面はフロントカバー２５０で覆われており、フロントカバー２５０はビス２５２によりケーシング１１０側に固定されている。
【００７０】
フロントカバー２５０には、図９に示すように、垂直な前壁２６０が形成されされている。
フロントカバー２５０に形成した前壁２６０の下端部の内側には、図１０に示すように、室内の配管に接続されるガス接続管１６０，給水接続管１７０及び給湯接続管１８０が鉛直方向に向けてそれぞれ配設されている。
ガス接続管１６０に供給されるガスはガス比例弁電磁弁ユニット１３４により流量を制御され、ガスはガス接続管１６０を通ってガスバーナー１３０へ供給される。
【００７１】
給水接続管１７０に供給される水道水はフロントカバー２５０に形成した前壁２６０の下端部の内側に配設された配管の直立部に設けられた給水量センサ１７２により供給量が検出され、また、給水の温度が給水サーミスタ１７４により検出され、そのデータは制御装置１５０側へ送られる。
【００７２】
熱交換器１２０で加熱された湯水は配管１４２を介して給湯接続管１８０に供給される。
給湯接続管１８０には室内に設けられた台所や洗面所の蛇口のへの配管（図示せず）が接続されている。
【００７３】
この壁貫通型燃焼器具１００は、上述したように、フロントカバー２５０の室内側に位置する前壁２６０の下端部の内側に配設された給水接続管１７０の直立部に給水量を検出する給水量センサ１７２を設けた構造を有する。同様に、フロントカバー２５０に形成した前壁２６０の下端部の内側に配設された室内の台所や洗面所の蛇口に接続される給湯接続管１８０を設けてある。
【００７４】
【発明の効果】
以上に述べたように、本発明の壁貫通型燃焼器具によれば、フロントカバーの膨出部の内側のスペースを有効利用することができ、壁貫通型燃焼器具の全長寸法Ｌ１を短縮することができる。
また、フロントカバーをケーシングに取付けてあるビスを外してフロントカバーを開けることにより、ケーシング内部の各種のセンサや電磁弁に容易にアクセスすることができ、壁貫通型燃焼器具のメインテナンスも容易となる。
【図面の簡単な説明】
【図１】本発明の第１の実施形態における壁貫通型燃焼器具を示す縦断面図。
【図２】本発明の第１の実施形態における壁貫通型燃焼器具を示す正面図。
【図３】本発明の第２の実施形態における壁貫通型燃焼器具を示す縦断面図。
【図４】本発明の第２の実施形態における壁貫通型燃焼器具を示す正面図。
【図５】本発明の第３の実施形態における壁貫通型燃焼器具を示す縦断面図。
【図６】本発明の第３の実施形態における壁貫通型燃焼器具を示す正面図。
【図７】本発明の第４の実施形態における壁貫通型燃焼器具を示す縦断面図。
【図８】本発明の第４の実施形態における壁貫通型燃焼器具を示す正面図。
【図９】本発明の第５の実施形態における壁貫通型燃焼器具を示す縦断面図。
【図１０】本発明の第５の実施形態における壁貫通型燃焼器具を示す正面図。
【図１１】壁貫通型燃焼器具の設置状態を示す説明図。
【符号の説明】
１００  壁貫通型燃焼器具
１１０  ケーシング
１２０  熱交換器
１２２  温度ヒューズ
１２４  バイメタルスイッチ
１２６  ヒータ
１３０  ガスバーナー
１３２  外気温サーミスタ
１３４  ガス比例弁電磁弁ユニット
１４２  配管
１５０  制御装置
１５２  電動ファン
１５４  トランス
１６０  ガス接続管
１７０  給水接続管
１７２  給水量センサ
１７４  給水サーミスタ
１８０  給湯接続管
１８２  割込給湯量センサ
１９０  浴槽接続管
１９２  電磁弁
２００  フロントカバー
２０２  ビス
２０４  テーパー部
２１０  膨出部
２５０  フロントカバー
２５２  ビス
２６０  前壁
３００  排気室
３１０  本体
３２０  排気ガイド
３４０  排気トップ
４００  追焚往き接続管
４０２  電磁弁
４０５  水制御弁
４１０  追焚戻り接続管
Ｐ  循環ポンプ
【図１】
0004703898.tif 000002
【図２】
0004703898.tif 000003
【図３】
0004703898.tif 000004
【図４】
0004703898.tif 000005
【図５】
0004703898.tif 000006
【図６】
0004703898.tif 000007
【図７】
0004703898.tif 000008
【図８】
0004703898.tif 000009
【図９】
0004703898.tif 000010
【図１０】
0004703898.tif 000011
【図１１】
0004703898.tif 000012